(57)【要約】【課題】  無線ネットワーク制御装置から基地局装置へ割り当てられるＨＳ−ＰＤＳＣＨのコード数が変更されたり、追加されたりする場合に設定できない現象を防ぐことが可能な無線エリアネットワークを提供する。【解決手段】  基地局装置２は基地局装置２全体で設定可能なＨＳ−ＰＤＳＣＨのコード数を計算して無線ネットワーク制御装置１に報告する。基地局装置２はセル構成及び装置構成を考慮して、セル単位及びセルのグループ単位で設定可能なＨＳ−ＰＤＳＣＨのコード数を無線ネットワーク制御装置１に報告する。基地局装置２は無線ネットワーク制御装置１から複数のセルに対してほぼ同時にＨＳ−ＰＤＳＣＨのコード数を変更するような要求が来ても、それに対応することができるように考慮した値を無線ネットワーク制御装置１に報告する。【選択図】      図１
2008028488.tif 000002
【特許請求の範囲】
【請求項１】
無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークであって、
前記基地局装置は、自装置の装置構成に応じて追加可能な前記ＨＳ−ＰＤＳＣＨのコード数を計算する手段を有し、
前記基地局装置が計算したコード数を前記無線ネットワーク制御装置に送信することを特徴とする無線エリアネットワーク。
【請求項２】
前記基地局装置が、相関関係のあるＨＳ−ＰＤＳＣＨのコードのみをグループ化した値を前記無線ネットワーク制御装置に送信することを特徴とする請求項１記載の無線エリアネットワーク。
【請求項３】
前記無線ネットワーク制御装置が、前記基地局装置で計算されたコード数を基に当該基地局装置に対して前記ＨＳ−ＰＤＳＣＨのコード数を設定することを特徴とする請求項１記載の無線エリアネットワーク。
【請求項４】
無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークであって、
前記基地局装置が、相関関係のあるＨＳ−ＰＤＳＣＨのコードのみをグループ化した値を前記無線ネットワーク制御装置に送信することを特徴とする無線エリアネットワーク。
【請求項５】
無線ネットワーク制御装置にて割り当てられたＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを自装置に設定する基地局装置であって、
自装置の装置構成に応じて追加可能な前記ＨＳ−ＰＤＳＣＨのコード数を計算する手段を有し、
その計算したコード数を前記無線ネットワーク制御装置に送信することを特徴とする基地局装置。
【請求項６】
相関関係のあるＨＳ−ＰＤＳＣＨのコードのみをグループ化した値を前記無線ネットワーク制御装置に送信することを特徴とする請求項５記載の基地局装置。
【請求項７】
無線ネットワーク制御装置にて割り当てられたＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを自装置に設定する基地局装置であって、
相関関係のあるＨＳ−ＰＤＳＣＨのコードのみをグループ化した値を前記無線ネットワーク制御装置に送信することを特徴とする基地局装置。
【請求項８】
基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線ネットワーク制御装置であって、
前記基地局装置が自装置の装置構成に応じて計算した追加可能な前記ＨＳ−ＰＤＳＣＨのコード数を基に当該基地局装置に対して前記ＨＳ−ＰＤＳＣＨのコードを割り当てることを特徴とする無線ネットワーク制御装置。
【請求項９】
前記基地局装置が相関関係のあるＨＳ−ＰＤＳＣＨのコードのみをグループ化した値を基に当該基地局装置に対して前記ＨＳ−ＰＤＳＣＨのコードを割り当てることを特徴とする請求項８記載の無線ネットワーク制御装置。
【請求項１０】
基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線ネットワーク制御装置であって、
前記基地局装置が相関関係のあるＨＳ−ＰＤＳＣＨのコードのみをグループ化した値を基に当該基地局装置に対して前記ＨＳ−ＰＤＳＣＨのコードを割り当てることを特徴とする無線ネットワーク制御装置。
【請求項１１】
無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークに用いられるＨＳＤＰＡ（Ｈｉｇｈ−Ｓｐｅｅｄ  Ｄｏｗｎｌｉｎｋ  Ｐａｃｋｅｔ  Ａｃｃｅｓｓ）コード割り当て方法であって、
前記基地局装置が、自装置の装置構成に応じて追加可能な前記ＨＳ−ＰＤＳＣＨのコード数を計算し、その計算したコード数を前記無線ネットワーク制御装置に送信することを特徴とするＨＳＤＰＡコード割り当て方法。
【請求項１２】
前記基地局装置が、相関関係のあるＨＳ−ＰＤＳＣＨのコードのみをグループ化した値を前記無線ネットワーク制御装置に送信することを特徴とする請求項１１記載のＨＳＤＰＡコード割り当て方法。
【請求項１３】
前記無線ネットワーク制御装置が、前記基地局装置で計算されたコード数を基に当該基地局装置に対して前記ＨＳ−ＰＤＳＣＨのコード数を設定することを特徴とする請求項１１記載のＨＳＤＰＡコード割り当て方法。
【請求項１４】
無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークに用いられるＨＳＤＰＡ（Ｈｉｇｈ−Ｓｐｅｅｄ  Ｄｏｗｎｌｉｎｋ  Ｐａｃｋｅｔ  Ａｃｃｅｓｓ）コード割り当て方法であって、
前記基地局装置が、相関関係のあるＨＳ−ＰＤＳＣＨのコードのみをグループ化した値を前記無線ネットワーク制御装置に送信することを特徴とするＨＳＤＰＡコード割り当て方法。
【発明の詳細な説明】
【技術分野】
【０００１】
本発明は無線エリアネットワーク、基地局装置、無線ネットワーク制御装置及びそのＨＳＤＰＡコード割り当て方法に関し、特に基地局装置におけるＨＳＤＰＡ（Ｈｉｇｈ−Ｓｐｅｅｄ  Ｄｏｗｎｌｉｎｋ  Ｐａｃｋｅｔ  Ａｃｃｅｓｓ）コード割り当て方法に関する。
【背景技術】
【０００２】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式等の移動通信システムにおいて、下り方向の高速伝送方式であるＨＳＤＰＡが用いられており、ＨＳＤＰＡを提供する場合、下り回線で、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）とＤＰＣＨ（Ｄｅｄｉｃａｔｅｄ  Ｐｈｙｓｉｃａｌ  Ｃｈａｎｎｅｌ）とを設定する必要がある。
【０００３】
ここで、ＤＰＣＨは制御データを送信するための個別チャネルであり、特に、ＨＳ−ＰＤＳＣＨを制御する時に設定するＤＰＣＨはＡｓｓｏｃｉａｔｅｄ  ＤＰＣＨと呼ばれている。ＤＰＣＨは単独で設定することが可能であり、ユーザデータを送信することができる。ＨＳ−ＰＤＳＣＨはユーザデータをパケット伝送するチャネルであり、複数のユーザ間で時間多重して共用される。
【０００４】
無線ネットワーク制御装置（ＲＮＣ：Ｒａｄｉｏ  Ｎｅｔｗｏｒｋ  Ｃｏｎｔｒｏｌｌｅｒ）は基地局装置のＨＳ−ＰＤＳＣＨ及びＤＰＣＨにコードを割り当てる（例えば、非特許文献１参照）。コードとは下りリンクにおいて各物理チャネルの識別に用いられるチャネライゼーションコード（Ｃｈａｎｎｅｌｉｚａｔｉｏｎ  ｃｏｄｅ）を示している。
【０００５】
基地局装置では、割り当て可能なＨＳ−ＰＤＳＣＨコード（ＣＯＤＥ）数の最大値を持っている。その値は基地局装置の構成や、設定されるセル（ＣＥＬＬ）構成等によって大きく変わってくる。
【０００６】
無線ネットワーク制御装置は、現在その最大値や構成を知る方法がないため、ＨＳ−ＰＤＳＣＨコードが割り当てられる際、設定できない場合が生じる。基地局装置の構成を無線ネットワーク制御装置に伝えるのは多量の情報を送信する必要性があるため、現実的ではない。逆に、基地局装置は、設定されるＨＳ−ＰＤＳＣＨコード数を前もって知ることができない。また、ＨＳ−ＰＤＳＣＨコードは基地局装置の起動時の初期設定で設定されるだけでなく、トラフィック量やコード使用数に応じて運用中に変更することができる。
【０００７】
【非特許文献１】“ＵＴＲＡＮ  ｌｕｂ  ｉｎｔｅｒｆａｃｅ  Ｎｏｄｅ  Ｂ  Ａｐｐｌｉｃａｔｉｏｎ  Ｐａｒｔ（ＮＢＡＰ）  ｓｉｇｎａｌｌｉｎｇ  （Ｒｅｌｅａｓｅ  ７）”（３ＧＰＰ  ＴＳ２５．４３３  Ｖ７．１．０（２００６−０６）  第８．２．１８章）
【発明の開示】
【発明が解決しようとする課題】
【０００８】
このように、上記のコード数は重要なパラメータであるにもかかわらず、現状設定されているコード数のみを無線ネットワーク制御装置及び基地局装置で把握しているのみである。そのため、無線ネットワーク制御装置がＨＳ−ＰＤＳＣＨコード数を変更及び追加した際に、基地局装置側で設定できない場合が多く発生する可能性がある。
【０００９】
つまり、無線ネットワーク制御装置から基地局装置に対しては、セル毎にＨＳ−ＰＤＳＣＨが設定される。ＨＳ−ＰＤＳＣＨ設定時に、ＨＳ−ＰＤＳＣＨコード数が割り当てられるが、基地局装置は割り当て可能なコード数の最大値を持っている。
【００１０】
しかしながら、従来、無線ネットワーク制御装置は、その最大値を知ることができないため、無線ネットワーク制御装置から割り当てられるＨＳ−ＰＤＳＣＨを設定できない場合が発生し、Ｐｈｙｓｉｃａｌ  Ｓｈａｒｅｄ  Ｃｈａｎｎｅｌ  Ｒｅｃｏｎｆｉｇｕｒａｔｉｏｎ  Ｆａｉｌｕｒｅが基地局装置から報告される。また、基地局装置では、装置構成に依っても割り当て可能なＨＳ−ＰＤＳＣＨコード数の最大値に制限があるため、同様にＨＳ−ＰＤＳＣＨを設定することができない場合が発生する。
【００１１】
そこで、本発明の目的は上記の問題点を解消し、無線ネットワーク制御装置から基地局装置へ割り当てられるＨＳ−ＰＤＳＣＨのコード数が変更されたり、追加されたりする場合に設定できない現象を防ぐことができる無線エリアネットワーク、基地局装置、無線ネットワーク制御装置及びそのＨＳＤＰＡコード割り当て方法を提供することにある。
【課題を解決するための手段】
【００１２】
本発明による無線エリアネットワークは、無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークであって、
前記基地局装置は、自装置の装置構成に応じて追加可能な前記ＨＳ−ＰＤＳＣＨのコード数を計算する手段を備え、
前記基地局装置が計算したコード数を前記無線ネットワーク制御装置に送信している。
【００１３】
本発明による他の無線エリアネットワークは、無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークであって、
前記基地局装置が、相関関係のあるＨＳ−ＰＤＳＣＨのコードのみをグループ化した値を前記無線ネットワーク制御装置に送信している。
【００１４】
本発明による基地局装置は、無線ネットワーク制御装置にて割り当てられたＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを自装置に設定する基地局装置であって、
自装置の装置構成に応じて追加可能な前記ＨＳ−ＰＤＳＣＨのコード数を計算する手段を備え、
その計算したコード数を前記無線ネットワーク制御装置に送信している。
【００１５】
本発明による他の基地局装置は、無線ネットワーク制御装置にて割り当てられたＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを自装置に設定する基地局装置であって、
相関関係のあるＨＳ−ＰＤＳＣＨのコードのみをグループ化した値を前記無線ネットワーク制御装置に送信している。
【００１６】
本発明による無線ネットワーク制御装置は、基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線ネットワーク制御装置であって、
前記基地局装置が自装置の装置構成に応じて計算した追加可能な前記ＨＳ−ＰＤＳＣＨのコード数を基に当該基地局装置に対して前記ＨＳ−ＰＤＳＣＨのコードを割り当てている。
【００１７】
本発明による他の無線ネットワーク制御装置は、基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線ネットワーク制御装置であって、
前記基地局装置が相関関係のあるＨＳ−ＰＤＳＣＨのコードのみをグループ化した値を基に当該基地局装置に対して前記ＨＳ−ＰＤＳＣＨのコードを割り当てている。
【００１８】
本発明によるＨＳＤＰＡコード割り当て方法は、無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークに用いられるＨＳＤＰＡ（Ｈｉｇｈ−Ｓｐｅｅｄ  Ｄｏｗｎｌｉｎｋ  Ｐａｃｋｅｔ  Ａｃｃｅｓｓ）コード割り当て方法であって、
前記基地局装置が、自装置の装置構成に応じて追加可能な前記ＨＳ−ＰＤＳＣＨのコード数を計算し、その計算したコード数を前記無線ネットワーク制御装置に送信している。
【００１９】
本発明による他のＨＳＤＰＡコード割り当て方法は、無線ネットワーク制御装置にて基地局装置のＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）にコードを割り当てる無線エリアネットワークに用いられるＨＳＤＰＡ（Ｈｉｇｈ−Ｓｐｅｅｄ  Ｄｏｗｎｌｉｎｋ  Ｐａｃｋｅｔ  Ａｃｃｅｓｓ）コード割り当て方法であって、
前記基地局装置が、相関関係のあるＨＳ−ＰＤＳＣＨのコードのみをグループ化した値を前記無線ネットワーク制御装置に送信している。
【００２０】
すなわち、本発明の無線エリアネットワークは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式等の基地局装置及び無線ネットワーク制御装置で構成され、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）のコード（ＣＯＤＥ）の変更及び追加を行う際に、設定できないという現象を防ぐことを可能としている。
【００２１】
より具体的に説明すると、本発明の無線エリアネットワークは、基地局装置と無線ネットワーク制御装置とから構成され、無線ネットワーク制御装置が基地局装置とＡＴＭ（Ａｓｙｎｃｈｒｏｎｏｕｓ  Ｔｒａｎｓｆｅｒ  Ｍｏｄｅ）回線を用いて接続されており、移動体端末が基地局装置とＷ−ＣＤＭＡ無線アクセス方式で信号の送受信を行っている。基地局装置はＨＳＤＰＡ（Ｈｉｇｈ−Ｓｐｅｅｄ  Ｄｏｗｎｌｉｎｋ  Ｐａｃｋｅｔ  Ａｃｃｅｓｓ）信号変復調部を備えている。
【００２２】
無線ネットワーク制御装置及び基地局装置がＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）技術をサポートする場合、無線ネットワーク制御装置からＰｈｙｓｉｃａｌ  Ｓｈａｒｅｄ  Ｃｈａｎｎｅｌ  Ｒｅｃｏｎｆｉｇｕｒａｔｉｏｎ  ＲｅｑｕｅｓｔによってＨＳ−ＰＤＳＣＨを設定する必要がある。基地局装置のＨＳＤＰＡ信号変復調部では、ＨＳＤＰＡ関連の信号の変復調を行うだけでなく、設定されたＨＳ−ＰＤＳＣＨのＲｅｓｏｕｒｃｅ管理を実施している。
【００２３】
ＨＳ−ＰＤＳＣＨが設定される際、各ＨＳ−ＰＤＳＣＨ毎にＨＳ−ＰＤＳＣＨのコード数が割り当てられる。しかしながら、基地局装置では割り当て可能なＨＳ−ＰＤＳＣＨのコード数の最大値を持っており、最大値以上のコード数を設定することはできない。また、基地局装置は無線ネットワーク制御装置から設定されるＨＳ−ＰＤＳＣＨのコード数を、それが設定される前に知ることができない。逆に、無線ネットワーク制御装置はその最大値を知ることができないため、最大値以上の設定を行う可能性がある。
【００２４】
そこで、基地局装置には、無線ネットワーク制御装置にその最大値を知らせる手段を提供し、無線ネットワーク制御装置からＨＳ−ＰＤＳＣＨのコード数を設定したり、変更及び追加したりする前に設定できない値を検出させている。
【００２５】
基地局装置は装置構成によっても割り当て可能なＨＳ−ＰＤＳＣＨのコード数の最大値に別の制限が発生するため、基地局装置全体で割り当て可能な最大値を知らせるのみでは、設定できない可能性があるため、各セル（ＣＥＬＬ）及びセルグループ（ＣＥＬＬ  ＧＲＯＵＰ）のＨＳ−ＰＤＳＣＨ毎に基地局装置から設定可能な最大値を知らせることで、無線ネットワーク制御装置に設定できない場合を検出させる。
【００２６】
これによって、本発明の無線エリアネットワークでは、無線ネットワーク制御装置から基地局装置へ割り当てられるＨＳ−ＰＤＳＣＨのコード数が変更されたり、追加されたりする場合に、設定できない現象を防ぐことが可能となる。
【００２７】
基地局装置では、現在設定されているＨＳ−ＰＤＳＣＨとそのコード数及び追加で設定可能なＨＳ−ＰＤＳＣＨのコード数を把握することが可能となる。したがって、基地局装置では、その情報を無線ネットワーク制御装置へ送信することが可能で、その情報を基に無線ネットワーク制御装置で設定及び追加可能なＨＳ−ＰＤＳＣＨのコード数をセル毎に把握し、再設定を実施することが可能となる。
【００２８】
基地局装置では、リソースの割り当て方法によっても設定可能なＨＳ−ＰＤＳＣＨのコード数の最大値が変化するため、無線ネットワーク制御装置から複数のセルに対して、同時に設定及び追加された場合に、更なる上限が発生する。そこで、基地局装置は、ほぼ同時に設定される場合を考慮して、無線ネットワーク制御装置に設定可能なＨＳ−ＰＤＳＣＨのコード数を通知することで、無線ネットワーク制御装置にその情報を把握させ、ＨＳ−ＰＤＳＣＨのコードの再設定ができない現象を防ぐ。
【００２９】
つまり、基地局装置は、基地局装置全体で設定可能なＨＳ−ＰＤＳＣＨのコード数を計算して無線ネットワーク制御装置に報告する。また、基地局装置のセル構成及び装置構成を考慮し、セル単位及びセルのグループ単位で設定可能なＨＳ−ＰＤＳＣＨのコード数を無線ネットワーク制御装置に報告する。基地局装置は無線ネットワーク制御装置から複数のセルに対してほぼ同時にＨＳ−ＰＤＳＣＨのコード数を変更するような要求が来ても、対応可能なように考慮した値を無線ネットワーク制御装置に報告する。
【００３０】
よって、本発明の無線エリアネットワークでは、無線ネットワーク制御装置からＨＳ−ＰＤＳＣＨのコードを変更する要求に対して、リソース（Ｒｅｓｏｕｒｃｅ）不足によって設定できない場合を防ぐことが可能となる。
【００３１】
上述したように、本発明の無線エリアネットワークでは、基地局側が現状の構成及び設定されているコード数から、追加できるＨＳ−ＰＤＳＣＨのコード数を無線ネットワーク制御装置へ報告することで、基地局装置に追加できないようなコード数を無線ネットワーク制御装置が要求することを防ぐことが可能となる。
【００３２】
また、本発明の無線エリアネットワークでは、無線ネットワーク制御装置が追加できる最大限のＨＳ−ＰＤＳＣＨのコード数を、基地局装置からの報告で知ることが可能となるため、無線ネットワーク制御装置が最適なコード割り当てを実施することが可能となる。
【００３３】
さらに、本発明の無線エリアネットワークでは、基地局装置が相関関係のあるコードのみグループ化して報告し、設定された後にコードのみ更新するだけであるため、基地局装置内で自由にかつ最適にリソース割り当てを実施することが可能となる。
【発明の効果】
【００３４】
本発明は、上記のような構成及び動作とすることで、無線ネットワーク制御装置から基地局装置へ割り当てられるＨＳ−ＰＤＳＣＨのコード数が変更されたり、追加されたりする場合に設定できない現象を防ぐことができるという効果が得られる。
【発明を実施するための最良の形態】
【００３５】
次に、本発明の実施の形態について図面を参照して説明する。図１は本発明の実施の形態による無線エリアネットワークの構成例を示すブロック図である。図１において、本発明の実施の形態による無線エリアネットワークは、無線ネットワーク制御装置１と、基地局装置２と、移動体端末３とから構成されている。
【００３６】
無線ネットワーク制御装置１は基地局装置２とＡＴＭ（Ａｓｙｎｃｈｒｏｎｏｕｓ  Ｔｒａｎｓｆｅｒ  Ｍｏｄｅ）回線を用いて接続されており、移動体端末３は基地局装置２とＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）無線アクセス方式で信号の送受信を行っている。基地局装置２はＨＳＤＰＡ（Ｈｉｇｈ−Ｓｐｅｅｄ  Ｄｏｗｎｌｉｎｋ  Ｐａｃｋｅｔ  Ａｃｃｅｓｓ）信号変復調部２１を備えている。
【００３７】
無線ネットワーク制御装置１及び基地局装置２がＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）技術をサポートする場合、無線ネットワーク制御装置１から“Ｐｈｙｓｉｃａｌ  Ｓｈａｒｅｄ  Ｃｈａｎｎｅｌ  Ｒｅｃｏｎｆｉｇｕｒａｔｉｏｎ  Ｒｅｑｕｅｓｔ”によってＨＳ−ＰＤＳＣＨを設定する必要がある。ＨＳＤＰＡ信号変復調部２１では、ＨＳＤＰＡ関連の信号の変復調を行うだけでなく、設定されたＨＳ−ＰＤＳＣＨのリソース（Ｒｅｓｏｕｒｃｅ）管理を実施している。
【００３８】
ＨＳ−ＰＤＳＣＨが設定される際、各ＨＳ−ＰＤＳＣＨ毎にＨＳ−ＰＤＳＣＨのコード（ＣＯＤＥ）数が割り当てられる。しかしながら、基地局装置２では割り当て可能なＨＳ−ＰＤＳＣＨのコード数の最大値を持っており、最大値以上のコード数を設定することはできない。また、基地局装置２は無線ネットワーク制御装置１から設定されるＨＳ−ＰＤＳＣＨのコード数を、その設定前に知ることができない。逆に、無線ネットワーク制御装置１はそのコード数の最大値を知ることができないため、最大値以上にコード数を設定する可能性がある。
【００３９】
そこで、本実施の形態では、無線ネットワーク制御装置１にその最大値を知らせる手段を提供し、無線ネットワーク制御装置１からＨＳ−ＰＤＳＣＨのコード数を設定したり、変更及び追加したりする前に、設定できない値を検出させることを目的としている。
【００４０】
基地局装置２は装置構成によっても、割り当て可能なＨＳ−ＰＤＳＣＨのコード数の最大値に別の制限が発生するため、基地局装置２全体で割り当て可能な最大値を知らせるのみでは、コード数を設定できない可能性があるため、各セル（ＣＥＬＬ）及びセルグループ（ＣＥＬＬ  ＧＲＯＵＰ）のＨＳ−ＰＤＳＣＨ毎に基地局装置２から設定可能な最大値を知らせることで、無線ネットワーク制御装置１にコード数を設定できない場合を検出させる。
【００４１】
本実施の形態では、無線ネットワーク制御装置１から基地局装置２へ割り当てられるＨＳ−ＰＤＳＣＨのコード数が変更されたり、追加されたりする場合に、コード数を設定できない現象を防ぐことができる。
【００４２】
基地局装置２では、現在設定されているＨＳ−ＰＤＳＣＨ及びそのコード数と、追加で設定可能なＨＳ−ＰＤＳＣＨのコード数とを把握することができる。したがって、基地局装置２は、その情報を無線ネットワーク制御装置１へ送信することが可能であり、無線ネットワーク制御装置１ではその情報を基に、設定及び追加可能なＨＳ−ＰＤＳＣＨのコード数をセル毎に把握し、再設定を実施することができる。
【００４３】
基地局装置２では、リソースの割り当て方法によっても設定可能なＨＳ−ＰＤＳＣＨのコード数の最大値が変化するため、無線ネットワーク制御装置１から複数のセルに対して、同時に設定及び追加された場合に、更なる上限が発生する。そこで、基地局装置２はほぼ同時に設定される場合を考慮して、無線ネットワーク制御装置１に設定可能なＨＳ−ＰＤＳＣＨのコード数を通知することで、無線ネットワーク制御装置１にその情報を把握させ、ＨＳ−ＰＤＳＣＨのコードの再設定ができない場合を防いでいる。
【００４４】
つまり、基地局装置２は基地局装置２全体で設定可能なＨＳ−ＰＤＳＣＨのコード数を計算して無線ネットワーク制御装置１に報告する。また、基地局装置２はセル構成及び装置構成を考慮して、セル単位及びセルのグループ単位で設定可能なＨＳ−ＰＤＳＣＨのコード数を無線ネットワーク制御装置１に報告する。基地局装置２は無線ネットワーク制御装置１から複数のセルに対してほぼ同時にＨＳ−ＰＤＳＣＨのコード数を変更するような要求が来ても、それに対応することができるように考慮した値を無線ネットワーク制御装置１に報告する。
【００４５】
本実施の形態では、上述したような手法によって、無線ネットワーク制御装置１からのＨＳ−ＰＤＳＣＨのコードを変更する要求に対して、リソース（Ｒｅｓｏｕｒｃｅ）不足によってコードを設定できないという現象を防ぐことができる。
【実施例１】
【００４６】
図２〜図４は本発明の一実施例による無線エリアネットワークの動作例を示す図である。本発明の一実施例による無線エリアネットワークは上記の図１に示す本発明の実施の形態による無線エリアネットワークの構成と同様の構成となっている。これら図１〜図４を参照して本発明の一実施例による無線エリアネットワークの動作について説明する。これら図２〜図４には、無線ネットワーク制御装置１及び基地局装置２が示されている。
【００４７】
基地局装置２にはＨＳＤＰＡをサポートするＨＳＤＰＡ信号変復調部２１〜２３が配設されている。図２及び図３では１つのＨＳＤＰＡ信号変復調部２１に３つのＣＥＬＬ＃１０，ＣＥＬＬ＃２０，ＣＥＬＬ＃３０がＨＳ−ＰＤＳＣＨ付きで設定されているものとする。また、説明しやすくするために、１つのＨＳＤＰＡ信号変復調部２１〜２３にはそれぞれ最大３０個のＨＳ−ＰＤＳＣＨのコードを設定することができるものとする。
【００４８】
図４では、２つのＨＳＤＰＡ信号変復調部２２，２３が存在し、それぞれに３つのＣＥＬＬ＃１０，ＣＥＬＬ＃２０，ＣＥＬＬ＃３０と、ＣＥＬＬ＃４０，ＣＥＬＬ＃５０，ＣＥＬＬ＃６０とがＨＳ−ＰＤＳＣＨ付きで設定されているものとする。ＨＳＤＰＡ変復調部２２では、２つのグループに分けられており、それぞれ最初のグループ（ＬＯＣＡＬ  ＣＥＬＬ  ＧＲＯＵＰ＃０）には、ＣＥＬＬ＃１０が、もう１つのグループ（ＬＯＣＡＬ  ＣＥＬＬ  ＧＲＯＵＰ＃１）には、ＣＥＬＬ＃２０とＣＥＬＬ＃３０とが設定されている。すべてのＣＥＬＬにおいては、最初に設定されているコード数を「５」とする。
【００４９】
図５は本発明の一実施例による無線エリアネットワークの動作例を示すシーケンスチャートである。この図５を参照して図２に示す無線ネットワーク制御装置１と基地局装置２との間のメッセージフローについて説明する。
【００５０】
基地局装置２にはＣＥＬＬ＃１０，ＣＥＬＬ＃２０，ＣＥＬＬ＃３０が設定されているものとする。無線ネットワーク制御装置１は“Ｐｈｙｓｉｃａｌ  Ｓｈａｒｅｄ  Ｃｈａｎｎｅｌ  Ｒｅｃｏｎｆｉｇｕｒａｔｉｏｎ  Ｒｅｑｕｅｓｔ”によってＨＳ−ＰＤＳＣＨを設定する（図５のａ１，ａ４，ａ７）。各セルに対してはＨＳ−ＰＤＳＣＨのコードを５コードずつ設定する。基地局装置２はＨＳＤＰＡ信号変復調部２１にＨＳ−ＰＤＳＣＨを設定する（図５のａ２，ａ５，ａ８）。
【００５１】
この場合、ＨＳＤＰＡ信号変復調部２１には１５ＨＳ−ＰＤＳＣＨ分の利用可能なコードが存在する。無線ネットワーク制御装置１は、セル単位でＨＳ−ＰＤＳＣＨのコード数を管理しており、コード数を変更したい場合、再度、“Ｐｈｙｓｉｃａｌ  Ｓｈａｒｅｄ  Ｃｈａｎｎｅｌ  Ｒｅｃｏｎｆｉｇｕｒａｔｉｏｎ  Ｒｅｑｕｅｓｔ”によって基地局装置２へ変更要求を送信する。
【００５２】
このメッセージ（Ｍｅｓｓａｇｅ）を受けた基地局装置２は要求に応じてＨＳ−ＰＤＳＣＨのコード数を変更し、成功した場合に“Ｐｈｙｓｉｃａｌ  Ｓｈａｒｅｄ  Ｃｈａｎｎｅｌ  Ｒｅｃｏｎｆｉｇｕｒａｔｉｏｎ  Ｒｅｓｐｏｎｓｅ”によって報告する。
【００５３】
しかしながら、無線ネットワーク制御装置１では基地局装置２における利用可能なＨＳ−ＰＤＳＣＨのコード数を知らないため、利用可能なコード数を超えた変更要求をする場合がある。つまり、この例では１６ＨＳ−ＰＤＳＣＨのコード以上の追加設定が無線ネットワーク制御装置１から要求された場合（図５のａ１１）、基地局装置２のＨＳＤＰＡ信号変復調部２１では設定できないと判断し（図５のａ１２）、“Ｐｈｙｓｉｃａｌ  Ｓｈａｒｅｄ  Ｃｈａｎｎｅｌ  Ｒｅｃｏｎｆｉｇｕｒａｔｉｏｎ  Ｆａｉｌｕｒｅ”にて不成功の報告を行う（図５のａ１３）。
【００５４】
そこで、本実施例では、無線ネットワーク制御装置１から基地局装置２に対して、“Ｐｈｙｓｉｃａｌ  Ｓｈａｒｅｄ  Ｃｈａｎｎｅｌ  Ｒｅｃｏｎｆｉｇｕｒａｔｉｏｎ  Ｒｅｑｕｅｓｔ”によってＨＳ−ＰＤＳＣＨのコードが設定された後、“Ｒｅｓｏｕｒｃｅ  Ｓｔａｔｕｓ  Ｉｎｄｉｃａｔｉｏｎ”によって、利用可能なコード数を報告している。
【００５５】
つまり、基地局装置２からは“Ａｖａｉｌａｂｌｅ  ＨＳ−ＰＤＳＣＨ  ＣＯＤＥ＝１５”を“Ｒｅｓｏｕｒｃｅ  Ｓｔａｔｕｓ  Ｉｎｄｉｃａｔｉｏｎ”によって無線ネットワーク制御装置１へ報告する。無線ネットワーク制御装置１は、ＨＳ−ＰＤＳＣＨのコード数を変更したい場合、Ａｖａｉｌａｂｌｅ  ＨＳ−ＰＤＳＣＨのコード数を超えないような値を追加する設定を行う。これによって、本実施例では、基地局装置２が“Ｐｈｙｓｉｃａｌ  Ｓｈａｒｅｄ  Ｃｈａｎｎｅｌ  Ｒｅｃｏｎｆｉｇｕｒａｔｉｏｎ  Ｆａｉｌｕｒｅ”で不成功の報告をあげる場合を防ぐことができる。
【００５６】
無線ネットワーク制御装置１では、セル単位でＨＳ−ＰＤＳＣＨのコード数を管理して制御しているため、セル毎にＨＳ−ＰＤＳＣＨのコード数を変更する要求を出す。これは複数のセルに対してほぼ同時に変更要求を実施したい場合が考えられる。例として、ＣＥＬＬ＃１０に１０ＨＳ−ＰＤＳＣＨのコードを、ＣＥＬＬ＃２０にも１０ＨＳ−ＰＤＳＣＨのコードを追加したい場合について考える。
【００５７】
“Ｐｈｙｓｉｃａｌ  Ｓｈａｒｅｄ  Ｃｈａｎｎｅｌ  Ｒｅｃｏｎｆｉｇｕｒａｔｉｏｎ  Ｒｅｑｕｅｓｔ”はセル毎に必要であるが、無線ネットワーク制御装置１からはＣＥＬＬ＃１０向けのメッセージとＣＥＬＬ＃２０向けのメッセージとを並行してほぼ同時に送信することができる。つまり、ＣＥＬＬ＃１０に対して１０ＨＳ−ＰＤＳＣＨのコード、ＣＥＬＬ＃２０に対して１０ＨＳ−ＰＤＳＣＨのコードをほぼ同時に追加要求した場合、基地局装置２のＨＳＰＤＡ信号変復調部２１では、１５ＨＳ−ＰＤＳＣＨのコード以上を追加することができないため、先に受信した追加要求メッセージを受け入れられるが、後に受信した追加要求メッセージは不成功として報告する。
【００５８】
そこで、本実施例では、図３に示すように、ＨＳＤＰＡ変復調部２１に設定されているセルをＬＯＣＡＬ  ＣＥＬＬ  ＧＲＯＵＰとして括りつけ、基地局装置２は“Ｒｅｓｏｕｒｃｅ  Ｓｔａｔｕｓ  Ｉｎｄｉｃａｔｉｏｎ”において、ＬＯＣＡＬ  ＣＥＬＬ  ＧＲＯＵＰで設定可能なＨＳ−ＰＤＳＣＨのコード数と、セル毎に設定可能なＨＳ−ＰＤＳＣＨのコード数とを無線ネットワーク制御装置１へ報告する。
【００５９】
つまり、基地局装置２からは“Ａｖａｉｌａｂｌｅ  ＬＯＣＡＬ  ＣＥＬＬ  ＧＲＯＵＰ  ＨＳ−ＰＤＳＣＨ  ＣＯＤＥ＝１５”、“Ａｖａｉｌａｂｌｅ  ＣＥＬＬ＃１０  ＨＳ−ＰＤＳＣＨ  ＣＯＤＥ＝１５”、“Ａｖａｉｌａｂｌｅ  ＣＥＬＬ＃２０  ＨＳ−ＰＤＳＣＨ  ＣＯＤＥ＝１５”、“Ａｖａｉｌａｂｌｅ  ＣＥＬＬ＃３０  ＨＳ−ＰＤＳＣＨ  ＣＯＤＥ＝１５”を無線ネットワーク制御装置１に報告する。
【００６０】
無線ネットワーク制御装置１は、次の“Ｒｅｓｏｕｒｃｅ  Ｓｔａｔｕｓ  Ｉｎｄｉｃａｔｉｏｎ”を基地局装置２から受信するまで、追加するＣＥＬＬ＃１０，ＣＥＬＬ＃２０，ＣＥＬＬ＃３０のＨＳ−ＰＤＳＣＨのコード数の和が“Ａｖａｉｌａｂｌｅ  ＬＯＣＡＬ  ＣＥＬＬ  ＧＲＯＵＰ  ＨＳ−ＰＤＳＣＨ  ＣＯＤＥ”の数を超えないように、かつ、各セルに追加するＨＳ−ＰＤＳＣＨのコード数が“Ａｖａｉｌａｂｌｅ  ＣＥＬＬ  ＨＳ−ＰＤＳＣＨ  ＣＯＤＥ”の数を超えないようにＨＳ−ＰＤＳＣＨのコードの変更要求メッセージを送信する。
【００６１】
基地局装置２では、図４に示すように、複数のＨＳＤＰＡ信号変復調部２２，２３を持つことができ、リソース配分を最適化するように割り当てを実施することができる。つまり、基地局装置２の構成によって、各セル単位で利用可能なＨＳ−ＰＤＳＣＨのコード数が異なる場合が存在する。そこで、ＨＳＤＰＡ変復調部２２，２３単位で設定されたセルをＬＯＣＡＬ  ＣＥＬＬ  ＧＲＯＵＰとして括りつけ、ＬＯＣＡＬ  ＣＥＬＬ  ＧＲＯＵＰ毎に“Ａｖａｉｌａｂｌｅ  ＨＳ−ＰＤＳＣＨ  ＣＯＤＥ”の数を報告することで、他のＨＳＤＰＡ信号変復調部に割り当てられたセルグループ間で独立して制御することが可能となる。
【００６２】
無線ネットワーク制御装置１は、ＬＯＣＡＬ  ＣＥＬＬ  ＧＲＯＵＰ単位で管理することで、基地局装置２内部でＨＳＤＰＡ信号変復調部２２，２３へのセルの割り当てを意識せずに制御することが可能となる。
【００６３】
このように、本実施例では、基地局装置２において追加で設定することができるＨＳ−ＰＤＳＣＨのコード数を無線ネットワーク制御装置１に送信することで、無線ネットワーク制御装置１がＨＳ−ＰＤＳＣＨのコード数の変更及び追加を行いたい場合に、コード不足で設定することができない場合を避けることができる。
【００６４】
また、本実施例では、ＨＳＤＰＡ信号変復調部２１〜２３に設定されているセルをＬＯＣＡＬ  ＣＥＬＬ  ＧＲＯＵＰとして管理することで、無線ネットワーク制御装置１が複数のセルに対してほぼ同時にＨＳ−ＰＤＳＣＨのコード数の変更及び追加を行いたい場合に、コード不足で設定することができない場合を避けることができる。
【００６５】
さらに、本実施例では、基地局装置２においてＬＯＣＡＬ  ＣＥＬＬ  ＧＲＯＵＰ単位で追加設定することができるＨＳ−ＰＤＳＣＨのコード数を無線ネットワーク制御装置１に送信することで、無線ネットワーク制御装置１がＨＳＤＰＡ信号変復調部２１〜２３毎に独立してＨＳ−ＰＤＳＣＨのコード数の変更及び追加を行うことができる。
【図面の簡単な説明】
【００６６】
【図１】本発明の実施の形態による無線エリアネットワークの構成例を示すブロック図である。
【図２】本発明の一実施例による無線エリアネットワークの動作例を示す図である。
【図３】本発明の一実施例による無線エリアネットワークの動作例を示す図である。
【図４】本発明の一実施例による無線エリアネットワークの動作例を示す図である。
【図５】本発明の一実施例による無線エリアネットワークの動作例を示すシーケンスチャートである。
【符号の説明】
【００６７】
１  無線ネットワーク制御装置
２  基地局装置
３  移動体端末
２１〜２３  ＨＳＤＰＡ信号変復調部
【図１】
2008028488.tif 000003
【図２】
2008028488.tif 000004
【図３】
2008028488.tif 000005
【図４】
2008028488.tif 000006
【図５】
2008028488.tif 000007